(57)【特許請求の範囲】
【請求項１】
記録媒体上の未定着画像を加熱定着する発熱体と、
前記発熱体を加熱する加熱手段と、
前記未定着画像が加熱定着されて所定のシート経路に沿って搬送される前記記録媒体の加熱定着面を前記発熱体から分離する方向にガイドするガイド面を有するシート分離ガイド板と、を備え、
前記シート分離ガイド板のガイド面に、前記ガイド面のガイド幅方向に沿って隆起した段差部を設けた定着装置。
【請求項２】
前記段差部は、シートのガイド幅方向に設けられる、複数の突出部と、前記突出部の間に形成される凹部とから構成される請求項１記載の定着装置。
【請求項３】
シートのガイド幅方向の下流側に位置する前記突出部は、シートのガイド幅方向の上流側に位置する前記突出部に比べて、その頂点が、前記発熱体の周面よりも前記加熱手段側に位置するように設定された請求項２記載の定着装置。
【請求項４】
前記シート分離ガイド板のシート搬送方向下流側に、前記発熱体から分離して前記シート分離ガイド板のガイド面によりガイドされる前記記録媒体を前記加熱定着面側に湾曲させるシート搬送経路形成部材を配設した請求項１記載の定着装置。
【請求項５】
前記シート分離ガイド板のガイド面に設けた段差部のガイド幅方向両端部の高さを、前記段差部のガイド幅方向中央部の高さよりも大きく形成した請求項１記載の定着装置。
【請求項６】
前記シート分離ガイド板の前記ガイド面の前記発熱体と対向するガイド幅方向中央端部を、前記ガイド面のガイド幅方向両端部よりもシート搬送方向上流側に突出するように形成した請求項１記載の定着装置。
【請求項７】
前記シート分離ガイド板のガイド面を低摩擦部材で被覆した請求項１記載の定着装置。
【請求項８】
前記シート分離ガイド板は、金属板であることを特徴とする請求項１記載の定着装置。
【請求項９】
記録媒体上に未定着画像を形成する画像形成手段と、前記画像形成手段により前記記録媒体上に形成された未定着画像を加熱された発熱体により加熱定着する定着手段とを備え、
前記定着手段として、請求項１記載の定着装置を用いる画像形成装置。
【発明の詳細な説明】
【技術分野】
【０００１】
本発明は、記録媒体上の未定着画像を加熱定着させる定着装置に関し、特に電子写真方式あるいは静電記録方式の複写機、ファクシミリ及びプリンタ等の画像形成装置に用いて有用な定着装置に関する。
【背景技術】
【０００２】
この種の画像形成装置では、一般に加熱方式の定着装置が用いられている。この加熱方式の定着装置は、無端ベルト又はローラなどからなる発熱体、前記発熱体を加熱する加熱手段及び前記発熱体に圧接する加圧手段などを備えている。
【０００３】
前記加熱手段は、例えば、ハロゲンランプ又は電磁誘導加熱（ＩＨ；induction heating ）装置などで構成されている。前記加圧手段は、ゴムローラ又はスポンジローラなどからなり、前記発熱体に当接回転して前記発熱体との間に形成されるニップで記録紙又はＯＨＰシートなどの記録媒体を挟持搬送する。
【０００４】
この加熱方式の定着装置では、前記ニップで前記記録媒体を挟持搬送することにより前記発熱体の熱で前記記録媒体上に形成された未定着画像のトナーを溶融し、この溶融したトナーの粘着力により前記未定着画像を前記記録媒体上に定着させている。
【０００５】
このため、この定着装置においては、加熱により溶融したトナーの粘着力により前記記録媒体が前記発熱体に巻き付く現象が起こりやすい。このような現象は、加熱定着される記録媒体のシート搬送方向先端部にベタ画像が形成されている場合に発生しやすい。また、前記現象は、定着装置の電源投入時よりも定着装置がある程度使用されて暖まっている状態のときの方が発生しやすい。
【０００６】
そこで、この種の定着装置では、例えば、前記ニップよりも下流側の発熱体の表面にシート分離手段としての分離爪を当接するように配設し、加熱定着後の記録媒体を前記分離爪により前記発熱体から強制的に分離するようにしている（例えば、特許文献１など参照）。
【０００７】
ところが、前記シート分離手段として分離爪を用いた定着装置は、その発熱体に前記分離爪が当接した構成となるため、前記発熱体の表面に前記分離爪の当接痕が付きやすいという不具合がある。この不具合は、モノクロ画像用の定着装置のように前記発熱体の硬度を比較的高くできる場合には問題となることも少ないが、カラー画像用の定着装置のように前記発熱体に弾性層が形成されているような場合には前記発熱体の寿命及び定着画像の画質を著しく低下させる原因となる。
【０００８】
一方、前記シート分離手段として、分離爪の替わりにシート分離ガイド板を用い、このシート分離ガイド板により加熱定着後の記録媒体を前記発熱体から分離する定着装置が知られている（例えば、特許文献２など参照）。
【０００９】
図１は、前記シート分離手段としてシート分離ガイド板（以下、これを「セパレータ」という）を用いた定着装置における記録媒体（記録紙）の分離開始状態を示す概略断面図である。図１に示すように、この定着装置１０は、前記発熱体としての定着ローラ１１、前記加圧手段としての加圧ローラ１２、記録紙Ｐの搬送経路を形成するシートガイド板１３，１４，１５及びセパレータ１６などを備えている。
【００１０】
図１において、記録紙Ｐは、図示しない画像形成手段により未定着のトナー像Ｔが形成された後、定着装置１０に向けて搬送される。この記録紙Ｐは、定着装置１０のシート搬入口に設けられた一対のシートガイド板１３，１４の間を通って、定着ローラ１１と加圧ローラ１２との圧接部である定着ニップ部Ｎにより挟持されて矢印方向に搬送される。定着ニップ部Ｎを通過した記録紙Ｐは、定着ローラ１１の曲率により先端部Ｐａが定着ローラ１１の表面から離間される。
【００１１】
セパレータ１６は、定着ローラ１１の表面から離間された記録紙Ｐの先端部Ｐａをガイド面１６ａによりガイドして記録紙Ｐを定着ローラ１１の表面から分離する。
【００１２】
このように、この定着装置１０においては、まず、記録紙Ｐの先端部Ｐａを定着ローラ１１の曲率によりその表面から離間させ、次いで、この定着ローラ１１の表面から離間した記録紙Ｐの先端部Ｐａをセパレータ１６のガイド面１６ａによりガイドして記録紙Ｐを定着ローラ１１から分離している。
【００１３】
従って、この定着装置１０においては、図１に示すように、定着ローラ１１の表面から記録紙Ｐを分離するセパレータ１６を定着ローラ１１に対して非接触となるように配設できるので、前記分離爪のように定着ローラ１１に当接痕が付くことがなく、定着ローラ１１の寿命低下及び定着画像の画質低下を招くことがなくなる。
【特許文献１】特開２００３−２１５９６７号公報
【特許文献２】特開平０７−１８１８２６号公報
【発明の開示】
【発明が解決しようとする課題】
【００１４】
しかしながら、前記従来の前記シート分離ガイド板を用いた加熱定着方式の定着装置は、加熱定着後の記録媒体が前記シート分離ガイド板に沿って分離搬送される過程でシートジャム及び画像乱れが発生しやすいという不具合がある。
【００１５】
すなわち、この種の定着装置では、記録媒体上の未定着画像（トナー像）が発熱体により加熱溶融されてから固化（記録媒体上に定着）するまでにある程度の時間を要する。このトナー像が溶融してから固化するまでに要する時間は、記録媒体の搬送速度、トナーの材質、記録媒体へのトナー付着量、発熱体の発熱温度、定着装置の内部温度及び環境温度などの種々の条件により微妙に変化する。
【００１６】
従って、このような加熱定着方式の定着装置においては、前記発熱体の加熱定着部位から前記シート分離ガイド板の上流端までの距離を前記記録媒体が移動する間に、前記記録媒体上のトナー像が必ずしも固化し終えているとは限らない。
【００１７】
このため、この種の定着装置では、例えば、図２に示すように、記録紙Ｐ上のトナー像が固化しきらない状態のままセパレータ１６のガイド面１６ａに沿って記録紙Ｐが移動し、この半固化状態のトナー像がセパレータ１６のガイド面１６ａに張り付いたり摺擦したりしてシートジャム及び画像乱れが発生することがある。
【００１８】
このようなシートジャム及び画像乱れは、前記記録媒体上に形成されたトナー像がベタ画像の場合に発生しやすい。これは、ベタ画像は通常の画像よりも付着トナー量が多くなるため溶融したトナーが固化するまでにより長い時間がかかることによる。
【００１９】
また、このシートジャム及び画像乱れは、前記ベタ画像が前記記録媒体のシート搬送方向後端部に形成されている場合に特に発生しやすい。これは、例えば、図３に示すように、記録紙Ｐの後端部Ｐｂは、定着ローラ１１と加圧ローラ１２との定着ニップ部Ｎから抜
け出した瞬間にフリーな状態になることによる。すなわち、記録紙Ｐの後端部Ｐｂは、フリーな状態になった瞬間にセパレータ１６のガイド面側に跳ね上がり、その全面がセパレータ１６のガイド面１６ａに密着するようになる。このため、このセパレータ１６のガイド面１６ａに密着した記録紙Ｐの後端部Ｐｂにベタ画像が形成されていると、この後端部Ｐｂがガイド面１６ａに張り付いてシートジャム及び画像乱れが発生しやすくなる。
【００２０】
また、このシートジャム及び画像乱れは、定着装置の内部温度が高くなり前記シート分離ガイド板が高温になった場合も、前記記録媒体上の加熱定着されたトナー像が固化しにくくなったり再溶融したりするため発生しやすい。
【００２１】
本発明の目的は、加熱定着後の記録媒体をシートジャム及び画像乱れを起こすことなく発熱体から円滑に分離することができる定着装置を提供することである。
【課題を解決するための手段】
【００２２】
本発明の定着装置は、記録媒体上の未定着画像を加熱定着する発熱体と、前記発熱体を加熱する加熱手段と、前記未定着画像が加熱定着されて所定のシート経路に沿って搬送される前記記録媒体の加熱定着面を前記発熱体から分離する方向にガイドするガイド面を有するシート分離ガイド板と、を備え、前記シート分離ガイド板のガイド面に、前記ガイド面のガイド幅方向に沿って隆起した段差部を設けた構成を採る。
【発明の効果】
【００２３】
本発明によれば、加熱定着後の記録媒体をシートジャム及び画像乱れを起こすことなく発熱体から円滑に分離することができる。
【発明を実施するための最良の形態】
【００２４】
以下、本発明の実施の形態について、図面を参照して詳細に説明する。なお、各図にお
いて同一の構成又は機能を有する構成要素及び相当部分には、同一の符号を付してその説明は繰り返さない。
【００２５】
（実施の形態１）
図４は、本発明の実施の形態１に係る定着装置を搭載するのに適した画像形成装置の構成を示す概略断面図である。図４に示すように、この画像形成装置１００は、カラー画像の発色に寄与する４色のトナー像を４つの像担持体上に個別に形成し、これら４色のトナー像を中間転写体上に順次重ね合わせて一次転写した後、この一次転写像を記録媒体に一括転写（二次転写）するタンデム方式の画像形成装置である。
【００２６】
なお、本実施の形態１に係る定着装置は、前記タンデム方式の画像形成装置のみに限定されず、あらゆる方式の画像形成装置に搭載可能であることはいうまでもない。
【００２７】
また、図４において、画像形成装置１００の各構成要素に付した符号の末尾の記号Ｙ，Ｍ，Ｃ，Ｋは、Ｙはイエロー画像、Ｍはマゼンタ画像、Ｃはシアン画像、Ｋはブラック画像のそれぞれの画像形成に関与する構成要素を示しており、同一符号の構成要素はそれぞれ共通した構成を有している。
【００２８】
画像形成装置１００は、前記４つの像担持体としての感光体ドラム１１０Ｙ，１１０Ｍ，１１０Ｃ，１１０Ｋの周囲に、帯電器１２０Ｙ，１２０Ｍ，１２０Ｃ，１２０Ｋ、露光装置１３０、現像器１４０Ｙ，１４０Ｍ，１４０Ｃ，１４０Ｋ、転写器１５０Ｙ，１５０Ｍ，１５０Ｃ，１５０Ｋ、クリーニング装置１６０Ｙ，１６０Ｍ，１６０Ｃ，１６０Ｋ及び中間転写ベルト（中間転写体）１７０をそれぞれ配置した画像形成ステーションＳＹ，ＳＭ，ＳＣ，ＳＫを有している。
【００２９】
図４において、各感光体ドラム１１０Ｙ，１１０Ｍ，１１０Ｃ，１１０Ｋは、それぞれ矢印方向に回転され、それぞれの表面が帯電器１２０Ｙ，１２０Ｍ，１２０Ｃ，１２０Ｋにより一様に所定の電位に帯電される。
【００３０】
帯電された各感光体ドラム１１０Ｙ，１１０Ｍ，１１０Ｃ，１１０Ｋは、露光装置１３０により特定色の画像データに対応したレーザビームの走査線１３０Ｙ，１３０Ｍ，１３０Ｃ，１３０Ｋが照射される。これにより、各感光体ドラム１１０Ｙ，１１０Ｍ，１１０Ｃ，１１０Ｋの表面に前記特定色毎の静電潜像が形成される。
【００３１】
感光体ドラム１１０Ｙ，１１０Ｍ，１１０Ｃ，１１０Ｋ上に形成された前記特定色毎の静電潜像は、現像器１４０Ｙ，１４０Ｍ，１４０Ｃ，１４０Ｋにより顕像化される。これにより、各感光体ドラム１１０Ｙ，１１０Ｍ，１１０Ｃ，１１０Ｋ上に、カラー画像の発色に寄与する４色の未定着画像が形成される。
【００３２】
感光体ドラム１１０Ｙ，１１０Ｍ，１１０Ｃ，１１０Ｋ上に顕像化された４色のトナー像は、転写器１５０Ｙ，１５０Ｍ，１５０Ｃ，１５０Ｋにより、前記中間転写体としての無端状の中間転写ベルト１７０に一次転写される。これにより、感光体ドラム１１０Ｙ，１１０Ｍ，１１０Ｃ，１１０Ｋ上に形成された４色のトナー像が順次重ね合わされて中間転写ベルト１７０上にフルカラー画像が形成される。
【００３３】
各感光体ドラム１１０Ｙ，１１０Ｍ，１１０Ｃ，１１０Ｋは、中間転写ベルト１７０にトナー像を転写した後、クリーニング装置１６０Ｙ，１６０Ｍ，１６０Ｃ，１６０Ｋにより、それぞれの表面に残っている残留トナーが除去される。
【００３４】
ここで、露光装置１３０は、感光体ドラム１１０Ｙ，１１０Ｍ，１１０Ｃ，１１０Ｋに
対して所定の傾きをもって配置されている。また、中間転写ベルト１７０は、駆動ローラ１７１と従動ローラ１７２とに懸架されており、駆動ローラ１７１の回転により、図４において矢印Ａ方向へ回動される。
【００３５】
一方、画像形成装置１００の下部には、記録媒体としての印字用紙などの記録紙Ｐが収納された給紙カセット１８０が設けられている。記録紙Ｐは、給紙ローラ１８１により給紙カセット１８０から１枚ずつ所定のシート経路に送り出される。
【００３６】
前記シート経路に送り出された記録紙Ｐは、従動ローラ１７２に懸架された中間転写ベルト１７０の外周面と中間転写ベルト１７０の外周面に接触する二次転写ローラ１９０とで形成される転写ニップ部を通過する際に、中間転写ベルト１７０上に形成されたフルカラー画像（未定着画像）が二次転写ローラ１９０により一括転写される。
【００３７】
記録紙Ｐに一括転写された未定着のフルカラー画像は、図５に詳述する定着装置２００の定着ローラ２１０及び加熱ローラ２２０に懸架された定着ベルト２３０の外周面と定着ベルト２３０の外周面に接触する加圧ローラ２４０とで形成される定着ニップ部Ｎを通過することにより、記録紙Ｐに加熱定着される。
【００３８】
なお、画像形成装置１００には、その筐体の一部を成す開閉自在のドア１０１が設けられており、このドア１０１の開閉により、定着装置２００の交換やメンテナンス及び前記用紙搬送路に詰まった記録紙Ｐのジャム処理などを行なうことができる。
【００３９】
次に、図５を参照して画像形成装置１００に搭載されている本実施の形態１に係る定着装置２００について説明する。
【００４０】
本実施の形態１に係る定着装置２００は、電磁誘導加熱（ＩＨ；induction heating ）方式の定着装置であって、図５に示すように、定着ローラ２１０、発熱体としての加熱ローラ２２０、発熱体としての定着ベルト２３０、加圧ローラ２４０、加熱手段としての誘導加熱装置２５０、シート分離ガイド板としてのセパレータ２６０及びシート搬送経路形成部材としてのシートガイド板２８１，２８２，２８３，２８４などを備えている。
【００４１】
この定着装置２００は、誘導加熱装置２５０により生成した磁界の作用によって加熱ローラ２２０及び定着ベルト２３０を加熱し、シートガイド板２８１，２８２，２８３，２８４に沿って搬送される記録紙Ｐ上の未定着画像を、加熱された定着ベルト２３０と加圧ローラ２４０との定着ニップ部Ｎで加熱定着するものである。
【００４２】
なお、本発明に係る定着装置は、定着ベルト２３０を使用せず、定着ローラ２１０が加熱ローラ２２０を兼ねた構成とし、この定着ローラ２１０により記録紙Ｐ上の未定着画像を直接加熱定着するように構成したものであってもよい。また、前記加熱手段としては、ハロゲンランプなどを熱源とするものであってもよいことはいうまでもない。
【００４３】
図５において、発熱体としての加熱ローラ２２０は、例えば、鉄、コバルト、ニッケル又はこれら金属の合金等の中空円筒状の磁性金属部材からなる回転体で構成され、図示しない支持側板に固定されたベアリングにより、その両端が回転可能に支持されており、図示しない駆動手段によって回転駆動される。また、加熱ローラ２２０は、外径が２０ｍｍ、肉厚が０．３ｍｍの低熱容量で昇温の速い構成となっており、そのキュリー点が３００℃以上となるように調整されている。
【００４４】
定着ローラ２１０は、例えばステンレススチール等の金属製の芯金を、ソリッド状又は発泡状の耐熱性を有するシリコーンゴムからなる弾性部材で被覆して構成されており、そ
の外径が３０ｍｍ程度あり加熱ローラ２２０の外径よりも大きく形成されている。前記弾性部材は、その肉厚を３〜８ｍｍ程度、硬度を１５〜５０°（Ａｓｋｅｒ硬度：ＪＩＳ  Ａ  の硬度では６〜２５°）程度としている。
【００４５】
また、定着ローラ２１０には、加圧ローラ２４０が圧接している。この定着ローラ２１０と加圧ローラ２４０との圧接により、その圧接部に所定幅の定着ニップ部Ｎが形成される。
【００４６】
定着ベルト２３０は、加熱ローラ２２０と定着ローラ２１０とに懸架された耐熱性ベルトで構成されている。この定着ベルト２３０は、後述する誘導加熱装置２５０により加熱ローラ２２０が誘導加熱されることで、この加熱ローラ２２０との接触部位で加熱ローラ２２０の熱が伝導され、その回転によってベルト全周に亘って加熱される。
【００４７】
このように構成した定着装置２００は、加熱ローラ２２０の熱容量が定着ローラ２１０の熱容量よりも小さくなるので、加熱ローラ２２０が急速に加熱されるようになり、その加熱定着開始時におけるウォームアップ時間が短縮される。
【００４８】
また、定着ベルト２３０は、例えば、鉄、コバルト、ニッケル等の磁性を有する金属又はそれらを基材とする合金を基材とした発熱層と、この発熱層の表面を被覆するようにして設けられたシリコーンゴム又はフッ素ゴム等の弾性部材からなる弾性層と、ＰＴＦＥ（PolyTetra-Fluoro Ethylene ）、ＰＦＹ（Per Fluoro Alkoxy Fluoroplastics ）、ＦＥＰ（FluorinatedEtyienePropylenecopolymer ）、シリコーンゴム又はフッ素ゴム等の離型性の良好な樹脂あるいはゴムを単独もしくは混合して形成された離型層とを備えた多層構造の耐熱性ベルトで構成されている。
【００４９】
この定着ベルト２３０は、仮に、定着ベルト２３０と加熱ローラ２２０との間に何らかの原因で異物が混入してギャップが生じたとしても、その発熱層を誘導加熱装置２５０により誘導加熱して定着ベルト自体を発熱させることができる。このように、この定着ベルト２３０は、それ自体を誘導加熱装置２５０により直接加熱でき、その発熱効率が良くなり、またレスポンスが速くなるので、温度ムラが少なく加熱定着手段としての信頼性が高くなる。
【００５０】
加圧ローラ２４０は、例えば、銅又はアルミ等の熱伝導性の高い金属製の円筒部材からなる芯金の表面に、耐熱性及びトナー離型性の高い弾性部材を設けて構成されている。前記芯金としては、上記金属以外にＳＵＳ（Steel Use Stainless ）を使用してもよい。
【００５１】
この加圧ローラ２４０は、前述したように、定着ベルト２３０を介して定着ローラ２１０に圧接することにより、記録紙Ｐを挟持搬送する定着ニップ部Ｎを形成している。ここで、本実施の形態１に係る定着装置２００においては、加圧ローラ２４０の硬度を定着ローラ２１０の硬度よりも硬くし、加圧ローラ２４０の周面が定着ベルト２３０を介して定着ローラ２１０の周面に食い込むようにして定着ニップ部Ｎを形成している。
【００５２】
このため、この加圧ローラ２４０は、その外径は定着ローラ２１０と同じ３０ｍｍ程度であるが、その肉圧が０．５２〜５ｍｍ程度と定着ローラ１４０よりも薄く、その硬度も２０〜８０６０°（Ａｓｋｅｒ硬度：ＪＩＳ  Ａ  の硬度では６〜５０°）程度と定着ローラ２１０よりも硬く構成されている。
【００５３】
このような構成の定着装置２００においては、記録紙Ｐが加圧ローラ２４０の周面の表面形状に沿うように定着ニップ部Ｎにより挟持搬送されるので、記録紙Ｐの加熱定着面が定着ベルト２３０の表面から離れやすくなるという効果がある。
【００５４】
なお、定着ニップ部Ｎの入口側近傍の定着ベルト２３０の内周面には、サーミスタなどの熱応答性の高い感温素子からなる温度検出器２７０が当接配置されている。この定着装置２００においては、温度検知器２７０が検知した定着ベルト２３０の内周面の温度に基づいて、定着ベルト２３０の表面温度、つまり前記未定着画像の加熱定着温度が所定の温度に維持されるように、誘導加熱装置２５０による加熱ローラ２２０及び定着ベルト２３０の加熱温度が制御されている。
【００５５】
次に、誘導加熱装置２５０の構成について説明する。誘導加熱装置２５０は、図５に示すように、定着ベルト２３０を介して加熱ローラ２２０の外周面に対向するように配置されている。誘導加熱装置２５０には、加熱ローラ２２０を覆うように湾曲形成された難燃性の樹脂からなるコイルガイド部材としての支持フレーム２５１が設けられている。
【００５６】
支持フレーム２５１の中心部には、サーモスタット２５２が、その温度検知部分を支持フレーム２５１から加熱ローラ２２０及び定着ベルト２３０に向けて一部表出させるようにして配設されている。このサーモスタット２５２は、加熱ローラ２２０及び定着ベルト２３０の温度を検知し、加熱ローラ２２０及び定着ベルト２３０の温度が異常高温度になったことを検知したときに、支持フレーム２５１の外周面に巻回された磁界発生手段としての励磁コイル２５３と図示しないインバータ回路との接続を強制遮断する。
【００５７】
励磁コイル２５３は、表面が絶縁された長い一本の励磁コイル線材を支持フレーム２５１に沿って加熱ローラ２２０の軸方向に交互に巻き付けて構成されている。この励磁コイル２５３の巻回部分の長さは、定着ベルト２３０と加熱ローラ２２０とが接する領域と略同じ長さになるように設定されている。
【００５８】
励磁コイル２５３は、図示しないインバータ回路に接続され、１０ｋＨｚ〜１ＭＨｚ（好ましくは２０ｋＨｚ〜８００ｋＨｚ）の高周波交流電流が給電されることにより交番磁界を発生する。この交番磁界は、加熱ローラ２２０と定着ベルト２３０との接触領域及びその近傍部において加熱ローラ２２０及び定着ベルト２３０の発熱層に作用する。そして、この交番磁界の作用により、これらの発熱層の内部に前記交番磁界の変化を妨げる方向の渦電流が流れる。
【００５９】
この渦電流は、加熱ローラ２２０及び定着ベルト２３０の発熱層の抵抗に応じたジュール熱を発生させ、主として加熱ローラ２２０と定着ベルト２３０との接触領域及びその近傍部において加熱ローラ２２０及び定着ベルト２３０を電磁誘導加熱する。
【００６０】
一方、支持フレーム２５１には、励磁コイル２５３を囲むようにして、アーチコア２５４及びサイドコア２５５が設けられている。これらのアーチコア２５４及びサイドコア２５５は、励磁コイル２５３のインダクタンスを増大させ、励磁コイル２５３と加熱ローラ２２０との電磁結合を良好にする。従って、この定着装置２００においては、アーチコア２５４及びサイドコア２５５の作用により、同じコイル電流でも多くの電力を加熱ローラ２２０へ投入することが可能となり、そのウォームアップ時間を短縮することができる。
【００６１】
また、支持フレーム２５１には、誘導加熱装置２５０の内部のアーチコア２５４及びサーモスタット２５２を覆うように屋根型に形成された樹脂製のハウジング２５６が取り付けられている。このハウジング２５６には、複数の放熱孔が形成されており、支持フレーム２５１、励磁コイル２５３及びアーチコア２５４等から発生した熱が外部に放出されるようになっている。なお、ハウジング２５６は、例えばアルミなどの樹脂以外の素材で形成されたものであってもよい。
【００６２】
また、支持フレーム２５１には、ハウジング２５６に形成された放熱孔を塞がないようにハウジング２５６の外面を覆うショートリング２５７が取り付けられている。このショートリング２５７は、アーチコア２５４の背面に位置しており、アーチコア２５４の背面から外部に漏れ出るわずかな漏れ磁束を打ち消す方向に渦電流が発生することで、前記漏れ磁束の磁界を打ち消す方向に磁界が発生して前記漏れ磁束による不要な輻射を防止する働きをしている。
【００６３】
次に、本実施の形態１に係る定着装置２００の特徴部である前記シート分離ガイド板としてのセパレータ２６０について説明する。
【００６４】
図５及び図６に示すように、セパレータ２６０は、定着装置２００の装置本体に装着された断面Ｌ字状の支持部材２９０に、ビス２６１，２６２により着脱自在に取り付けられている。このセパレータ２６０は、定着ベルト２３０と加圧ローラ２４０との定着ニップ部Ｎで加熱定着された記録紙Ｐの加熱定着面を、定着ベルト２３０から分離する方向にガイドするためのガイド面２６０ａを有している。
【００６５】
セパレータ２６０のガイド面２６０ａには、ガイド面２６０ａのガイド幅方向に沿って隆起した２つの段差部（突出部）２６０ｂ，２６０ｃが設けられており、段差部２６０ｂ，２６０ｃの間には凹部２６０ｄが形成されている。これらの２つの段差部２６０ｂ，２６０ｃは、図７及び図８に示すように、未定着のトナー像Ｔが加熱定着された記録紙Ｐの加熱定着面を定着ベルト２３０から分離する方向にガイドするように、それぞれの高さが設定されている。すなわち、ガイド方向の下流側に位置する段差部２６０ｃは、ガイド方向の上流側に位置する段差部２６０ｂに比べて、その頂点が、発熱体である定着ベルト２３０及び加圧ローラ２４０の位置よりも加熱手段である誘導加熱装置２５０側に位置するように設けられている。なお、図７は、記録紙Ｐの先端部Ｐａの加熱定着面が定着ベルト２３０から分離し始める状態を示している。また、図８は、記録紙Ｐの加熱定着面がセパレータ２６０のガイド面２６０ａにガイドされて定着ベルト２３０から分離搬送されている途中の状態を示している。
【００６６】
図７において、記録紙Ｐは、図４に示したように、画像形成装置１００により未定着のトナー像Ｔが形成された後、定着装置２００に向けて搬送される。定着装置２００に搬送された記録紙Ｐは、定着装置２００のシート搬入口に設けられた一対のシートガイド板２８１，２８２の間を通って、定着ベルト２３０と加圧ローラ２４０との圧接部である定着ニップ部Ｎにより挟持されて矢印方向に搬送される。この定着ニップ部Ｎを通過した記録紙Ｐは、定着ローラ２１０に懸架された定着ベルト２３０の曲率により先端部Ｐａが定着ベルト２３０の表面から離間される。
【００６７】
そして、記録紙Ｐは、図８に示すように、セパレータ２６０のガイド面２６０ａに設けた段差部２６０ｂ，２６０ｃの頂点部分のみに接触するようにガイドされて定着ベルト２３０の表面から分離される。その後、この記録紙Ｐは、セパレータ２６０のシート搬送方向下流側のシート排出口に設けられたシート搬送経路形成部材としての一対のシートガイド板２８３，２８４の間を通って、定着装置２００から排出される。
【００６８】
このように、この定着装置２００においては、セパレータ２６０のガイド面２６０ａに設けた段差部２６０ｂ，２６０ｃ、及び段差部２６０ｂ，２６０ｃ間の凹部２６０ｄによって、ガイド面２６０ａに沿ってガイドされる記録紙Ｐの加熱定着面とガイド面２６０ａとの間に隙間が生じ、記録紙Ｐの加熱定着面とガイド面２６０ａとの接触面積が減少する。従って、この定着装置２００においては、記録紙Ｐの加熱定着面がセパレータ２６０のガイド面２６０ａに張り付きにくくなり、記録紙Ｐをシートジャム及び画像乱れを起こすことなく定着ベルト２３０から円滑に分離できるようになる。
【００６９】
また、定着装置２００においては、ガイド方向の下流側に位置する段差部２６０ｃは、ガイド方向の上流側に位置する段差部２６０ｂに比べて、その頂点が、発熱体である定着ベルト２３０及び加圧ローラ２４０の位置よりも加熱手段である誘導加熱装置２５０側に位置するように設けられることによって、前記ガイド面２６０ａに沿ってガイドされる記録紙Ｐの後端部の加熱定着面とガイド面２６０ａとの間に隙間が生じ易くなり、録媒紙Ｐの後端部と加熱定着面とガイド面２６０ａとの接触面積が減少する。従って、記録紙Ｐの後端部の加熱定着面がセパレータ２６０のガイド面２６０ａへの張り付きがより起こりにくくなり、記録紙Ｐの後端部をシートジャム及び画像乱れを起こすことなく定着ベルト２３０から円滑に分離できるようになる。
【００７０】
（実施の形態２）
次に、本発明の実施の形態２に係る定着装置について説明する。図９は、本実施の形態２に係る定着装置におけるセパレータの構成を示す分解斜視図である。
【００７１】
図９に示すように、このセパレータ６６０は、図６に示したセパレータ２６０と同様、支持部材２９０に、ビス２６１，２６２により着脱自在に取り付けられている。また、このセパレータ６６０は、定着ベルト２３０と加圧ローラ２４０との定着ニップ部Ｎで加熱定着された記録紙Ｐの加熱定着面を、定着ベルト２３０から分離する方向にガイドするためのガイド面６６０ａを有している。
【００７２】
さらに、セパレータ６６０のガイド面６６０ａには、ガイド面６６０ａのガイド幅方向に沿って隆起した２つの段差部（突出部）６６０ｂ，６６０ｃが設けられており、段差部６６０ｂ，６６０ｃの間には凹部６６０ｅが形成されている。そして、これらの２つの段差部６６０ｂ，６６０ｃは、未定着のトナー像Ｔが加熱定着された記録紙Ｐの加熱定着面を定着ベルト２３０から分離する方向にガイドするように、それぞれの高さが設定されている。すなわち、ガイド方向の下流側に位置する段差部６６０ｃは、ガイド方向の上流側に位置する段差部６６０ｂに比べて、その頂点が、図５に示した発熱体である定着ベルト２３０及び加圧ローラ２４０の位置よりも加熱手段である誘導加熱装置２５０側に位置するように設けられている。
【００７３】
ところで、この種の加熱定着方式の定着装置においては、図１０に示す加熱定着された記録紙Ｐの加熱定着面のシート幅方向両側部Ｐｃが、加熱による収縮により定着ベルト２３０に対して接近する方向にカールしやすい。
【００７４】
特に、記録紙ＰがＯＨＰシートの場合には、定着ベルト２３０の表面から支障なく分離されても、未定着のトナー像Ｔの加熱定着時の熱により記録紙Ｐが軟化するため、そのシート幅方向両側部Ｐｃが定着ベルト２３０に対して張り付き気味な状態で搬送される。
【００７５】
このため、この種の定着装置では、記録紙Ｐのシート幅方向両側部Ｐｃが他の部位よりも多く加熱され、記録紙Ｐのシート幅方向両側部Ｐｃの未定着のトナー像Ｔが過剰に溶融して画像乱れを起こしやすくなる。
【００７６】
そこで、本実施の形態２に係る定着装置のセパレータ６６０は、図９に示すように、そのガイド面６６０ａに設けたシート搬送方向下流側の段差部６６０ｃのガイド幅方向両端部６６０ｄの高さが、段差部６６０ｃのガイド幅方向中央部６６０ｅの高さよりも大きくなるように形成されている。
【００７７】
本実施の形態２に係る定着装置においては、記録紙Ｐがセパレータ６６０のガイド面６６０ａによりガイドされることにより、図１０に示すように、記録紙Ｐのシート幅方向両
側部Ｐｃの加熱定着面が、段差部６６０ｃのガイド幅方向両端部６６０ｄとガイド幅方向中央部６６０ｅとの高低差によって背面側に湾曲される。
【００７８】
本実施の形態２に係る定着装置においては、図１０に示したように、記録紙Ｐのシート幅方向両側部Ｐｃの加熱定着面が背面側に湾曲されるので、記録紙Ｐのシート幅方向両側部Ｐｃが定着ベルト２３０から分離されやすくなり、前述したような画像乱れを防止できるようになる。
【００７９】
（実施の形態３）
次に、本発明の実施の形態３に係る定着装置について説明する。図１１は、本実施の形態３に係る定着装置におけるセパレータの構成を示す分解斜視図である。
【００８０】
図１１に示すように、このセパレータ８６０は、図６に示したセパレータ２６０と同様、支持部材２９０に、ビス２６１，２６２により着脱自在に取り付けられている。また、このセパレータ８６０は、定着ベルト２３０と加圧ローラ２４０との定着ニップ部Ｎで加熱定着された記録紙Ｐの加熱定着面を、定着ベルト２３０から分離する方向にガイドするためのガイド面８６０ａを有している。
【００８１】
さらに、セパレータ８６０のガイド面８６０ａには、ガイド面８６０ａのガイド幅方向に沿って隆起した２つの段差部８６０ｂ，８６０ｃが設けられており、段差部８６０ｂ，８６０ｃの間には凹部８６０ｆが形成されている。そして、これらの２つの段差部８６０ｂ，８６０ｃは、未定着のトナー像Ｔが加熱定着された記録紙Ｐの加熱定着面を定着ベルト２３０から分離する方向にガイドするように、それぞれの高さが設定されている。すなわち、ガイド方向の下流側に位置する段差部８６０ｃは、ガイド方向の上流側に位置する段差部８６０ｂに比べて、その頂点が、図５に示した発熱体である定着ベルト２３０及び加圧ローラ２４０の位置よりも加熱手段である誘導加熱装置２５０側に位置するように設けられている。
【００８２】
ところで、この種の加熱定着方式の定着装置においては、前述したように、記録紙Ｐのシート幅方向両側部Ｐｃが加熱定着面の加熱による収縮により定着ベルト２３０に対して接近する方向にカールしやすい。このため、この種の定着装置では、上述のようにカールした記録紙Ｐのシート幅方向両側部Ｐｃがセパレータ８６０のガイド面８６０ａの上流側端部に衝突してシートジャムを引き起こすおそれがある。
【００８３】
そこで、本実施の形態３に係る定着装置におけるセパレータ８６０は、その定着ベルト２３０と対向するガイド幅方向中央端部８６０ｄが、ガイド面８６０ａのガイド幅方向両端部８６０ｅよりもシート搬送方向上流側に突出するように形成されている。
【００８４】
この定着装置においては、図１１に示すように、記録紙Ｐのシート搬送方向中央部Ｐｄの加熱定着面が、セパレータ８６０のガイド面８６０ａのガイド幅方向中央端部８６０ｄにより、記録紙Ｐのシート幅方向両側部Ｐｃの加熱定着面よりも先に確実にガイドされるようになる。
【００８５】
従って、本実施の形態３に係る定着装置においては、記録紙Ｐのシート幅方向両側部Ｐｃがカールしている場合でも、シートジャムを起こすことなく、シート幅方向両側部Ｐｃをセパレータ８６０のガイド面８６０ａに沿うように確実にガイドできるようになる。
【００８６】
なお、本発明の各実施の形態に係る定着装置におけるセパレータ２６０，６６０，８６０は、金属板であることが好ましい。すなわち、金属板で構成したセパレータ２６０，６６０，８６０は、これらを樹脂板で構成した場合と比較して、それらの耐熱性が向上され
るので、それらの熱変形による記録紙Ｐの分離不良を解消することができる。
【００８７】
また、金属板で構成したセパレータ２６０，６６０，８６０は、安価に製造できるとともに、段差部２６０ｂ、２６０ｃ、６６０ｂ、６６０ｃ、８６０ｂ、８６０ｃにより、ガイド幅方向（長手方向）の機械的な曲げ強度が増大するので、組み立て位置精度を向上させることができる。
【００８８】
また、これらのセパレータ２６０，６６０，８６０は、それぞれのガイド面２６０ａ，６６０ａ，８６０ａを低摩擦部材で被覆した構成とすることが好ましい。すなわち、ガイド面２６０ａ，６６０ａ，８６０ａを低摩擦部材で被覆したセパレータ２６０，６６０，８６０は、それぞれのガイド面２６０ａ，６６０ａ，８６０ａに対する記録紙Ｐの加熱定着面の付着力が低減されるので、ガイド面２６０ａ，６６０ａ，８６０ａへの記録紙Ｐの張り付きがより起こりにくくなる。
【００８９】
一方、本実施の形態１に係る定着装置２００は、図１２に示すように、セパレータ２６０のシート搬送方向下流側に配設したシート搬送経路形成部材としてのシートガイド板２８４が、定着ベルト２３０から分離してセパレータ２６０のガイド面２６０ａによりガイドされる記録紙Ｐを加熱定着面側に湾曲させるように構成されている。
【００９０】
この定着装置２００においては、図１２に示すように、定着ローラ２３０から分離してセパレータ２６０のガイド面２６０ａによりガイドされる記録紙Ｐが、シートガイド板２８４により画像定着面側に湾曲される。これにより、前記画像定着面側に湾曲した記録紙Ｐは、その腰の強さによって湾曲する前の状態に復帰しようとし、記録紙Ｐの上流側部分にセパレータ２６０のガイド面２６０ａから離間する向きの力が生じる。
【００９１】
従って、本実施の形態１に係る定着装置２００においては、セパレータ２６０のガイド面２６０ａに対する記録紙Ｐの加熱定着面の付着力がより低減され、ガイド面２６０ａへの記録紙Ｐの加熱定着面の張り付きがより起こりにくくなる。
【００９２】
なお、上記実施の形態１から実施の形態３では、セパレータ２６０，６６０，８６０のガイド面２６０ａ，６６０ａ，８６０ａに、ガイド幅方向に沿って隆起した２つの段差部（突出部）２６０ｂ、２６０ｃ、６６０ｂ、６６０ｃ、８６０ｂ、８６０ｃを設けた場合を示したが、段差部を３つ以上複数設けるようにしてもよい。複数の段差部を設けることによっても、記録紙の加熱定着面とガイド面との接触面積が減少し、記録紙の加熱定着面がセパレータのガイド面に張り付きにくくなり、記録紙をシートジャム及び画像乱れを起こすことなく定着ベルトから円滑に分離できるようになる。
【００９３】
本発明の定着装置の第１の態様は、記録媒体上の未定着画像を加熱定着する発熱体と、前記発熱体を加熱する加熱手段と、前記未定着画像が加熱定着されて所定のシート経路に沿って搬送される前記記録媒体の加熱定着面を前記発熱体から分離する方向にガイドするガイド面を有するシート分離ガイド板と、を備え、前記シート分離ガイド板のガイド面に、前記ガイド面のガイド幅方向に沿って隆起した段差部を設けた構成を採る。
【００９４】
この構成によれば、前記シート分離ガイド板のガイド面に設けた段差部によって、前記ガイド面に沿ってガイドされる前記記録媒体の加熱定着面と前記ガイド面との間に隙間が生じ、前記記録媒体の加熱定着面と前記ガイド面との接触面積が減少する。従って、この構成においては、前記記録媒体の加熱定着面が前記シート分離ガイド板のガイド面に張り付きにくくなり、前記記録媒体をシートジャム及び画像乱れを起こすことなく前記発熱体から円滑に分離できるようになる。
【００９５】
本発明の定着装置の第２の態様は、上記第１の態様に記載の定着装置において、前記段差部は、シートのガイド幅方向に設けられる、複数の突出部と、前記突出部の間に形成される凹部とから成る構成を採る。
【００９６】
この構成によれば、段差部を複数の突出部と、前記突出部の間に形成される凹部とから構成することによって、前記ガイド面に沿ってガイドされる前記記録媒体の加熱定着面と前記ガイド面との間に隙間が生じ、前記記録媒体の加熱定着面と前記ガイド面との接触面積が減少する。従って、この構成においては、前記記録媒体の加熱定着面が前記シート分離ガイド板のガイド面に張り付きにくくなり、前記記録媒体をシートジャム及び画像乱れを起こすことなく前記発熱体から円滑に分離できるようになる。
【００９７】
本発明の定着装置の第３の態様は、上記第２の態様に記載の定着装置において、シートのガイド幅方向の下流側に位置する前記突出部は、シートのガイド幅方向の上流側に位置する前記突出部に比べて、その頂点が、前記発熱体の周面よりも前記加熱手段側に位置するように設定された構成を採る。
【００９８】
この構成によれば、シートのガイド幅方向の下流側に位置する前記突出部の頂点を、上流側に位置する前記突出部に比べて前記発熱体の周面よりも前記加熱手段側に位置するように設定することによって、前記ガイド面に沿ってガイドされる前記記録媒体の後端部の加熱定着面と前記ガイド面との間に隙間が生じ易くなり、前記記録媒体の後端部と加熱定着面と前記ガイド面との接触面積が減少する。従って、この構成においては、前記記録媒体の後端部の加熱定着面が前記シート分離ガイド板のガイド面への張り付きがより起こりにくくなり、前記記録媒体の後端部をシートジャム及び画像乱れを起こすことなく前記発熱体から円滑に分離できるようになる。
【００９９】
本発明の定着装置の第４の態様は、上記第１の態様に記載の定着装置において、前記シート分離ガイド板のシート搬送方向下流側に、前記発熱体から分離して前記シート分離ガイド板のガイド面によりガイドされる前記記録媒体を前記加熱定着面側に湾曲させるシート搬送経路形成部材を配設した構成を採る。
【０１００】
この構成によれば、第１の態様に記載の定着装置の効果に加えて、前記発熱体から分離して前記シート分離ガイド板のガイド面によりガイドされる前記記録媒体が、前記シート搬送経路形成部材により前記画像定着面側に湾曲される。これにより、前記画像定着面側に湾曲した記録媒体は、その腰の強さによって湾曲する前の状態に復帰しようとし、前記記録媒体の上流側部分に前記シート分離ガイド板のガイド面から離間する向きの力が生じる。従って、この構成においては、前記シート分離ガイド板のガイド面に対する前記記録媒体の加熱定着面の付着力がより低減され、前記ガイド面への前記記録媒体の加熱定着面の張り付きがより起こりにくくなる。
【０１０１】
本発明の定着装置の第５の態様は、上記第１の態様の定着装置において、前記シート分離ガイド板のガイド面に設けた段差部のガイド幅方向両端部の高さを、前記段差部のガイド幅方向中央部の高さよりも大きく形成した構成を採る。
【０１０２】
この構成によれば、第１の態様に記載の定着装置の効果に加えて、前記記録媒体が前記シート分離ガイド板のガイド面によりガイドされることにより、前記記録媒体のシート幅方向両側部の加熱定着面が、前記ガイド面に設けた段差部のガイド幅方向両端部とガイド幅方向中央部との高低差によって背面側に湾曲される。このように、前記記録媒体のシート幅方向両側部の加熱定着面を背面側に湾曲させることによって、前記記録媒体のシート幅方向両側部の画像乱れを防止することができる。すなわち、この種の定着装置においては、加熱定着された記録媒体の加熱定着面のシート幅方向両側部が、加熱による収縮によ
り前記発熱体に対して接近する方向にカールしやすい。特に、記録媒体がＯＨＰシートの場合には、前記発熱体の表面から支障なく分離されても、未定着画像の加熱定着時の熱により記録媒体が軟化するため、そのシート幅方向両側部が前記発熱体に対して張り付き気味な状態で搬送される。このため、この種の定着装置では、前記記録媒体のシート幅方向両側部が他の部位よりも多く加熱され、前記記録媒体のシート幅方向両側部の未定着画像が過剰に溶融して画像乱れを起こしやすくなる。この構成においては、前記記録媒体のシート幅方向両側部の加熱定着面が背面側に湾曲されるので、前記記録媒体のシート幅方向両側部が前記発熱体から分離されやすくなり、前記画像乱れが防止されるようになる。
【０１０３】
本発明の定着装置の第６の態様は、上記第１の態様に記載の定着装置において、前記シート分離ガイド板の前記ガイド面の前記発熱体と対向するガイド幅方向中央端部を、前記ガイド面のガイド幅方向両端部よりもシート搬送方向上流側に突出するように形成した構成を採る。
【０１０４】
この構成によれば、第１の態様に記載の定着装置の効果に加えて、前記記録媒体のシート搬送方向中央部の加熱定着面が、前記シート分離ガイド板のガイド面のガイド幅方向中央端部により、前記記録媒体のシート幅方向両側部の加熱定着面よりも先に確実にガイドされるようになる。すなわち、この種の加熱定着方式の定着装置においては、前記記録媒体のシート幅方向両側部が加熱定着面の加熱による収縮により前記発熱体に対して接近する方向にカールしやすい。このため、この種の定着装置では、上述のようにカールした前記記録媒体のシート幅方向両側部が前記シート分離ガイド板のガイド面の上流側端部に衝突してシートジャムを引き起こすおそれがある。この構成によれば、前記記録媒体のシート搬送方向上流側に突出した前記シート分離ガイド板のガイド面のガイド幅方向中央端部によって、前記記録媒体のシート幅方向中央部の加熱定着面を確実にガイドすることができる。従って、この構成においては、前記記録媒体のシート幅方向両側部がカールしている場合でも、シートジャムを起こすことなく前記シート幅方向両側部を前記ガイド面に沿うように確実にガイドできるようになる。
【０１０５】
本発明の定着装置の第７の態様は、上記第１の態様に記載の定着装置において、前記シート分離ガイド板のガイド面を低摩擦部材で被覆した構成を採る。
【０１０６】
この構成によれば、第１の態様に記載の定着装置の効果に加えて、前記シート分離ガイド板のガイド面に対する前記記録媒体の加熱定着面の付着力が低減されるので、前記ガイド面への前記記録媒体の張り付きがより起こりにくくなる。
【０１０７】
本発明の定着装置の第８の態様は、上記第１の態様に記載の定着装置において、前記シート分離ガイド板は、金属板である構成を採る。
【０１０８】
この構成によれば、第１の態様に記載の定着装置の効果に加えて、前記シート分離ガイド板を樹脂板で構成した場合と比較して前記シート分離ガイド板の耐熱性が向上されるので、前記シート分離ガイド板の熱変形による前記記録媒体の分離不良を解消することができる。また、この構成においては、前記シート分離ガイド板を安価に製造できるとともに、前記段差部により前記シート分離ガイド板のガイド幅方向（長手方向）の機械的な曲げ強度が増大するので、前記シート分離ガイド板の組み立て位置精度が向上する。このシート分離ガイド板の耐熱性及び組み立て位置精度は、定着装置における記録媒体の分離性能を左右するため極めて重要となる。
【０１０９】
本発明の画像形成装置の第９の態様は、記録媒体上に未定着画像を形成する画像形成手段と、前記画像形成手段により前記記録媒体上に形成された未定着画像を加熱された発熱体により加熱定着する定着手段とを備え、前記定着手段として、上記第１の態様から上記
第８の態様のいずれかに記載の定着装置を用いる構成を採る。
【０１１０】
この構成によれば、前記発熱体により前記未定着画像が加熱定着された前記記録媒体をシートジャム及び画像乱れを起こすことなく前記発熱体から円滑に分離することができるので、画像品質の高いプリントを無駄なく得ることができる。
【０１１１】
本明細書は、２００４年１月２３日出願の特願２００４−０１６１６８に基づく。この内容はすべてここに含めておく。
【産業上の利用可能性】
【０１１２】
本発明は、記録媒体上の未定着画像を加熱定着させる定着装置、特に電子写真方式あるいは静電記録方式の複写機、ファクシミリ及びプリンタ等の画像形成装置に用いられる定着装置の加熱定着後の記録媒体をシートジャム及び画像乱れを起こすことなく発熱体から円滑に分離することを可能にすることである。
【図面の簡単な説明】
【０１１３】
【図１】従来のセパレータを用いた定着装置における記録紙の分離開始時の状態を示す概略断面図
【図２】従来のセパレータを用いた定着装置における記録紙の分離途中の状態を示す概略断面図
【図３】従来のセパレータを用いた定着装置における記録紙の分離完了時の状態を示す概略断面図
【図４】本発明の実施の形態１に係る定着装置を搭載するのに適した画像形成装置の全体構成を示す概略断面図
【図５】本実施の形態１に係る定着装置の基本的な構成を示す概略断面図
【図６】本実施の形態１に係る定着装置におけるセパレータの構成を示す分解斜視図
【図７】本実施の形態１に係る定着装置における記録紙の分離開始時の状態を示す概略断面図
【図８】本実施の形態１に係る定着装置における記録紙の分離途中の状態を示す概略断面図
【図９】本発明の実施の形態２に係る定着装置におけるセパレータの構成を示す分解斜視図
【図１０】本実施の形態２に係る定着装置におけるセパレータにより分離される記録紙の挙動を示す概略斜視図
【図１１】本発明の実施の形態３に係る定着装置におけるセパレータの構成を示す分解斜視図
【図１２】本実施の形態１に係る定着装置における記録紙の分離完了時の状態を示す概略断面図
【図１】
0004099193.tif 000002
【図２】
0004099193.tif 000003
【図３】
0004099193.tif 000004
【図４】
0004099193.tif 000005
【図５】
0004099193.tif 000006
【図６】
0004099193.tif 000007
【図７】
0004099193.tif 000008
【図８】
0004099193.tif 000009
【図９】
0004099193.tif 000010
【図１０】
0004099193.tif 000011
【図１１】
0004099193.tif 000012
【図１２】
0004099193.tif 000013